【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
画像供給装置と記録装置とが特定のプロトコルを用いて通信する通信システムに用いられる記録装置であって、
前記記録装置に実装された前記プロトコルを用いたアプリケーションによる通信手順により通信を行う通信手段と、
前記通信手段による通信の確立後、前記記録装置の機能情報を前記画像供給装置に送信する機能情報送信手段と、
所定機能の有無を示す情報を前記画像供給装置から取得することができない場合に、前記通信手段での通信内容に応じて、前記画像供給装置における前記所定機能の有無を判定する判定手段と、
前記判定手段により判定された前記所定機能の有無に応じて、変更した機能情報を前記機能情報送信手段により送信させる制御手段と、
をすることを特徴とする記録装置。
【請求項２】
前記制御手段は、前記判定手段により前記所定機能が無いと判定された場合は、前記通信手段による通信を一度切断し、再接続して、変更した機能情報を前記機能情報送信手段により送信させることを特徴とする請求項１に記載の記録装置。
【請求項３】
前記判定手段は、前記通信手段により前記画像供給装置から受信した記録ジョブに応じて、前記画像供給装置における前記所定機能の有無を判定することを特徴とする請求項１又は２に記載の記録装置。
【請求項４】
前記所定機能に関連するコマンドを前記画像供給装置に発行するコマンド発行手段を更に有し、
前記判定手段は、前記コマンド発行手段によりコマンドを発行した後に受信したコマンドに応じて、前記画像供給装置における前記所定機能の有無を判定することを特徴とする請求項１又は２に記載の記録装置。
【請求項５】
前記所定機能は、前記機能情報が変更したことを通知するための機能であることを特徴とする請求項１乃至４のいずれか１項に記載の記録装置。
【請求項６】
画像供給装置と記録装置とが特定のプロトコルを用いて通信する通信システムに用いられる記録装置であって、
前記記録装置に実装された前記特定のプロトコルを用いたアプリケーションによる通信手順により通信を行う通信手段と、
前記通信手段による通信の確立後、前記記録装置の機能情報を前記画像供給装置に送信する機能情報送信手段と、
前記通信手段での通信内容に応じて、前記画像供給装置における、前記機能情報が変更したことを通知するための機能の有無を判定する判定手段と、
前記判定手段により判定された前記機能の有無に応じて、変更した機能情報を前記機能情報送信手段により送信させる制御手段と、
を有することを特徴とする記録装置。
【請求項７】
前記判定手段は、前記通信手段により受信した記録ジョブに応じて、前記機能の有無を判定することを特徴とする請求項６に記載の記録装置。
【請求項８】
前記判定手段は、前記機能情報送信手段により機能情報を送信した後に、前記画像供給装置から機能情報の取得要求を受信したか否かに応じて前記機能の有無を判定することを特徴とする請求項６に記載の記録装置。
【請求項９】
画像供給装置と記録装置とが特定のプロトコルを用いて通信する通信システムに用いられる画像供給装置であって、
前記記録装置に実装された前記特定のプロトコルを用いたアプリケーションによる通信手順の確立後、前記記録装置の機能情報を受信する受信手段と、
前記通信手順での通信内容に応じて、前記機能情報に記述されていない、前記記録装置における所定機能の有無を判定する判定手段と、
前記判定手段により判定された前記所定機能の有無に応じて、前記受信手段により機能情報を再受信させる制御手段と、
を有することを特徴とする画像供給装置。
【請求項１０】
前記判定手段は、前記通信手段で受信したコマンドに応じて、前記記録装置における前記所定機能の有無を判定することを特徴とする請求項９に記載の画像供給装置。
【請求項１１】
前記所定機能は、前記機能情報が変更したことを通知するための機能であって、前記制御手段は、前記判定手段により前記所定機能無しと判定された場合は、前記受信手段により機能情報を再受信させることを特徴とする請求項９又は１０に記載の画像供給装置。
【請求項１２】
画像供給装置と記録装置とが特定のプロトコルを用いて通信する通信システムに用いられる記録装置の制御方法であって、
前記記録装置に実装された前記特定のプロトコルを用いたアプリケーションによる通信手順の確立後、前記記録装置の機能情報を前記画像供給装置に送信する機能情報送信工程と、
所定機能の有無を示す情報を前記画像供給装置から取得することができない場合に、前記通信手順での通信内容に応じて、前記画像供給装置における前記所定機能の有無を判定する判定工程と、
前記判定工程で判定された前記所定機能の有無に応じて、変更した機能情報を前記画像供給装置に送信する制御工程と、
をすることを特徴とする記録装置の制御方法。
【請求項１３】
前記制御工程は、前記判定工程で前記所定機能無しと判定された場合は、前記通信手順による通信を一度切断し、再接続して、変更した機能情報を前記画像供給装置に送信することを特徴とする請求項１２に記載の記録装置の制御方法。
【請求項１４】
前記判定工程は、前期画像供給装置から受信した記録ジョブに応じて判定することを特徴とする請求項１２又は１３に記載の記録装置の制御方法。
【請求項１５】
前記所定機能に関連するコマンドを前記画像供給装置に発行するコマンド発行工程を更に有し、
前記判定工程は、前記コマンド発行工程でコマンドを発行した後に受信したコマンドに応じて、前記所定機能の有無を判定することを特徴とする請求項１２又は１３に記載の記録装置の制御方法。
【請求項１６】
画像供給装置と記録装置とが特定のプロトコルを用いて通信する通信システムに用いられる記録装置の制御方法であって、
前記記録装置に実装された前記特定のプロトコルを用いたアプリケーションによる通信手順の確立後、前記記録装置の機能情報を前記画像供給装置に送信する機能情報送信工程と、
前記通信手順での通信内容に応じて、前記画像供給装置における、前記機能情報が変更したことを通知するための機能の有無を判定する判定工程と、
前記判定工程で判定された前記機能の有無に応じて、変更した機能情報を前記画像供給装置に送信する制御工程と、
を有することを特徴とする記録装置の制御方法。
【請求項１７】
前記判定工程は、前期画像供給装置から受信した記録ジョブに応じて、前記画像供給装置における前記機能の有無を判定することを特徴とする請求項１６に記載の記録装置の制御方法。
【請求項１８】
所定機能に関連するコマンドを前記画像供給装置に発行するコマンド発行工程を更に有し、
前記判定工程は、前記コマンド発行工程で発行したコマンドに対して返送されたコマンドに応じて、前記画像供給装置における前記所定機能の有無を判定することを特徴とする請求項１６に記載の記録装置の制御方法。
【請求項１９】
画像供給装置と記録装置とが特定のプロトコルを用いて通信する通信システムに用いられる画像供給装置の制御方法であって、
前記記録装置に実装された前記特定のプロトコルを用いたアプリケーションによる通信手順の確立後、前記記録装置の機能情報を受信する受信工程と、
前記通信手順での通信内容に応じて、前記機能情報に記述されていない、前記記録装置における所定機能の有無を判定する判定工程と、
前記判定工程で判定された前記所定機能のサポートの有無に応じて、前記受信手段により機能情報を再取得させる制御工程と、
を有することを特徴とする画像供給装置の制御方法。
【請求項２０】
前記判定工程は、前記記録装置から受信したコマンドに応じて、前記所定機能の有無を判定することを特徴とする請求項１９に記載の画像供給装置の制御方法。
【手続補正２】
【補正対象書類名】明細書
【補正対象項目名】発明の名称
【補正方法】変更
【補正の内容】
【発明の名称】記録装置及び画像供給システムとその制御方法
【手続補正３】
【補正対象書類名】明細書
【補正対象項目名】０００１
【補正方法】変更
【補正の内容】
【０００１】
本発明は、デジタルカメラ等の画像供給装置と、記録装置及びその制御方法に関するものである。
【手続補正４】
【補正対象書類名】明細書
【補正対象項目名】０００８
【補正方法】変更
【補正の内容】
【０００８】
本発明は上記従来例に鑑みてなされたもので、画像供給装置或は記録装置が所定の機能をサポートしているかどうかを判定し、その判定結果に基づいた処理を実行する記録装置及び画像供給装置とその制御方法を提供する。
【手続補正５】
【補正対象書類名】明細書
【補正対象項目名】０００９
【補正方法】変更
【補正の内容】
【０００９】
上記目的を達成するために本発明の記録装置は以下のような構成を備える。即ち、
画像供給装置と記録装置とが特定のプロトコルを用いて通信する通信システムに用いられる記録装置であって、
前記記録装置に実装された前記プロトコルを用いたアプリケーションによる通信手順により通信を行う通信手段と、
前記通信手段による通信の確立後、前記記録装置の機能情報を前記画像供給装置に送信する機能情報送信手段と、
所定機能の有無を示す情報を前記画像供給装置から取得することができない場合に、前記通信手段での通信内容に応じて、前記画像供給装置における前記所定機能の有無を判定する判定手段と、
前記判定手段により判定された前記所定機能の有無に応じて、変更した機能情報を前記機能情報送信手段により送信させる制御手段と、
をすることを特徴とする。
【手続補正６】
【補正対象書類名】明細書
【補正対象項目名】００１０
【補正方法】変更
【補正の内容】
【００１０】
上記目的を達成するために本発明の画像供給装置は以下のような構成を備える。即ち、
画像供給装置と記録装置とが特定のプロトコルを用いて通信する通信システムに用いられる画像供給装置であって、
前記記録装置に実装された前記特定のプロトコルを用いたアプリケーションによる通信手順の確立後、前記記録装置の機能情報を受信する受信手段と、
前記通信手順での通信内容に応じて、前記機能情報に記述されていない、前記記録装置における所定機能の有無を判定する判定手段と、
前記判定手段により判定された前記所定機能の有無に応じて、前記受信手段により機能情報を再受信させる制御手段と、
を有することを特徴とする。
【手続補正７】
【補正対象書類名】明細書
【補正対象項目名】００１１
【補正方法】変更
【補正の内容】
【００１１】
上記目的を達成するために本発明の記録装置の制御方法は以下のような工程を備える。即ち、
画像供給装置と記録装置とが特定のプロトコルを用いて通信する通信システムに用いられる記録装置の制御方法であって、
前記記録装置に実装された前記特定のプロトコルを用いたアプリケーションによる通信手順の確立後、前記記録装置の機能情報を前記画像供給装置に送信する機能情報送信工程と、
所定機能の有無を示す情報を前記画像供給装置から取得することができない場合に、前記通信手順での通信内容に応じて、前記画像供給装置における前記所定機能の有無を判定する判定工程と、
前記判定工程で判定された前記所定機能の有無に応じて、変更した機能情報を前記画像供給装置に送信する制御工程と、
をすることを特徴とする。
【手続補正８】
【補正対象書類名】明細書
【補正対象項目名】００１２
【補正方法】変更
【補正の内容】
【００１２】
上記目的を達成するために本発明の画像供給装置の制御方法は以下のような工程を備える。即ち、
画像供給装置と記録装置とが特定のプロトコルを用いて通信する通信システムに用いられる画像供給装置の制御方法であって、
前記記録装置に実装された前記特定のプロトコルを用いたアプリケーションによる通信手順の確立後、前記記録装置の機能情報を受信する受信工程と、
前記通信手順での通信内容に応じて、前記機能情報に記述されていない、前記記録装置における所定機能の有無を判定する判定工程と、
前記判定工程で判定された前記所定機能のサポートの有無に応じて、前記受信手段により機能情報を再取得させる制御工程と、
を有することを特徴とする。
【手続補正９】
【補正対象書類名】明細書
【補正対象項目名】００１３
【補正方法】変更
【補正の内容】
【００１３】
本発明によれば、画像供給装置或は記録装置が所定の機能をサポートしているかを判定し、その判定結果に基づいた処理を実行できる。